(57)【要約】【課題】収納場所を取らず、運搬が容易で、口腔ケア作業を安全衛生的に行うことができる口腔ケア用コップユニットを提供する。【解決手段】口腔ケア用具を湿らせるための液を入れるコップ(a)、汚れた口腔ケア用具を洗浄するための液を入れるコップ(b)、および洗浄した口腔ケア用具を漱ぐための液を入れるコップ(c)を少なくとも有し、前記コップ(a)、前記コップ(b)、および前記コップ(c)が着脱自在に連結してなる、口腔ケア用コップユニット。【選択図】図６
2018057530.tif 000002
【特許請求の範囲】
【請求項１】
口腔ケア用具を湿らせるための液を入れるコップ(a)、汚れた口腔ケア用具を洗浄するための液を入れるコップ(b)、および洗浄した口腔ケア用具を漱ぐための液を入れるコップ(c)を少なくとも有し、前記コップ(a)、前記コップ(b)、および前記コップ(c)が着脱自在に連結してなる、口腔ケア用コップユニット。
【請求項２】
前記コップ(a)、前記コップ(b)、および前記コップ(c)は、相互に区別できるように、彩色が施されている、請求項１に記載の口腔ケア用コップユニット。
【発明の詳細な説明】
【技術分野】
【０００１】
本発明は、口腔ケア用コップユニットに関する。より詳細に、コンパクトに収納でき、運搬が容易で、且つ口腔ケア作業を安全衛生的に行うことができる口腔ケア用コップユニットに関する。
【背景技術】
【０００２】
一般的に高齢になると唾液の分泌が減少し、手の器用さが低下するために、被介護者自身で口腔を清潔に保つことが難しくなる傾向がある。さらに認知症が進行すると自分で歯を磨けなくなることがある。口腔ケアは被介護者の口の中の手入れを行うことである。口腔ケアを怠ると、口臭や食欲低下の原因になるばかりでなく、認知機能の低下や肺炎などのリスクが高まる。
口腔ケアは、口腔ケアで汚れた口腔ケア用具を水などで頻繁に洗浄して、清潔な口腔ケア用具を使用して行うことが好ましい。
衛生的な口腔ケアを行うために、口腔ケア用具を湿らせるための液を入れるコップ、汚れた口腔ケア用具を洗浄するための液を入れるコップ、および洗浄した口腔ケア用具を漱ぐための液を入れるコップを用意することが好ましい。しかし、水などの入った複数のコップを零さずに被介護者の傍にまで運ぶことは、かなりの注意を要することがある。また、大勢の被介護者を抱える介護施設などでは、口腔ケアに使用したコップの収納場所の確保にも苦慮することがある。
【先行技術文献】
【特許文献】
【０００３】
【特許文献１】特開２０００−１５７０６２号公報
【発明の概要】
【発明が解決しようとする課題】
【０００４】
本発明の課題は、コンパクトに収納でき、運搬が容易で、且つ口腔ケア作業を安全衛生的に行うことができる口腔ケア用コップユニットを提供することである。
【課題を解決するための手段】
【０００５】
上記課題を解決すべく鋭意検討した結果、下記の形態を包含する本発明を完成するに至った。
【０００６】
〔１〕  口腔ケア用具を湿らせるための液を入れるコップ(a)、汚れた口腔ケア用具を洗浄するための液を入れるコップ(b)、および洗浄した口腔ケア用具を漱ぐための液を入れるコップ(c)を少なくとも有し、前記コップ(a)、前記コップ(b)、および前記コップ(c)が着脱自在に連結してなる、口腔ケア用コップユニット。
【０００７】
〔２〕  前記コップ(a)、前記コップ(b)、および前記コップ(c)は、相互に区別できるように、彩色が施されている、〔１〕に記載の口腔ケア用コップユニット。
【発明の効果】
【０００８】
本発明の口腔ケア用コップユニットは、コンパクトに収納でき、運搬が容易で、且つ口腔ケア作業を安全衛生的に行うことができる。
【図面の簡単な説明】
【０００９】
【図１】本発明の口腔ケア用コップユニットを構成する一つのコップの一例を示す上面図である。
【図２】図１に示すコップをＡ方向から観察した側面図である。
【図３】図１に示すコップをＢ方向から観察した側面図である。
【図４】図１に示すコップをＣ方向から観察した側面図である。
【図５】図１に示すコップの斜視図である。
【図６】図１に示すコップからなる本発明の口腔ケア用コップユニットを示す斜視図である。
【図７】本発明の口腔ケア用コップユニットを構成する一つのコップの別の一例を示す斜視図である。
【発明を実施するための形態】
【００１０】
本発明の口腔ケア用コップユニットは、コップ(a)、コップ(b)、およびコップ(c)を少なくとも有し、前記コップ(a)、前記コップ(b)、および前記コップ(c)が着脱自在に連結してなるものである。
【００１１】
コップ(a)は、口腔ケア用具を湿らせるための液を入れるものである。口腔ケア用具としては、柄付き歯ブラシ、指サック型歯ブラシ（フィンガー歯ブラシ）、歯間ブラシなどを挙げることができる。湿らせるための液としては、例えば、水、口腔洗浄用水溶液などを挙げることができる。    
【００１２】
コップ(b)は、汚れた口腔ケア用具を洗浄するための液を入れるものである。口腔ケアを行うことによって口腔ケア用具に食べカスなどが付着して汚れるので、その汚れを取り除く。洗浄するための液としては、例えば、水、口腔洗浄用水溶液などを挙げることができる。
【００１３】
コップ(c)は、洗浄した口腔ケア用具を漱ぐための液を入れるものである。漱ぐことによって、口腔ケア用具がより清潔になる。漱ぐための液としては、例えば、水、口腔洗浄用水溶液などを挙げることができる。
【００１４】
前記コップ(a)、前記コップ(b)、および前記コップ(c)を、着脱自在に連結するための機構が、前記コップ(a)、前記コップ(b)、および前記コップ(c)にそれぞれ設けられている。
着脱自在に連結するための機構は、その構造、形状などによって特に制限されず、例えば、図５に示すような、下向きＬ字状のバックル部２および該バックル部を受け止める凹部３とバックル部２のツメ１を引き留めるための凸状部４からなる連結機構、逆台形凹部と逆台形凸部とからなる嵌合による連結機構、磁気引力による連結機構、図７に示すような下向きＬ字状のバックル部２および該バックル部を受け止める凹部３とバックル部のツメ１を引き止めるための凸状部４からなる連結機構にさらに凸状部７および８を有する機構などを挙げることができる。これらのうち、図５や図７に示す連結機構が好ましい。
【００１５】
なお、逆台形凹部と逆台形凸部とからなる嵌合による連結機構においては、ゴムなどのような柔らかい材料で凹凸を形成すると、スライドによる嵌め合わせ以外に、圧し込むことによる嵌め合わせも可能である。また、逆台形凸部が主面に埋没するように形成することで、逆台形凸部と逆台形凹部とを連結したときに対向する主面９間の押圧によって高い摩擦力を実現することができる。
図７に示す、凸状部７の上縁は凸状部８の下縁とほぼ同じ高さにある。２つのコップをバックル部２ｂと凹部３ｂとで連結したときに、一のコップの凸状部８の下縁面と他のコップの凸状部７の上縁面とが相互に引っ掛って、バックル部２ｂが凹部３ｂから外れ難くする。なお、図５や図７には、側面６面のうち２面にバックル部と凹部をそれぞれ設けているが、側面６面のうち３面にバックル部を残りの３面に凹部を交互にそれぞれ設けてもよい。
【００１６】
着脱自在に連結するための機構は、前記コップ(a)、前記コップ(b)、および前記コップ(c)が、直列に並ぶように連結するものであってもよいし、Ｌ字状に並ぶように連結するものであってもよい。図６に示すように三角形状に並ぶように連結するものであってもよい。持ち運びの観点から、三角形状に並ぶように連結するものが好ましい。連結機構を６面に設けることによって、３つ以上のコップを着脱自在に連結することもできる。
【００１７】
前記コップ(a)、前記コップ(b)、および前記コップ(c)は、それらの、大きさ、形状、色などによって特に制限されない。
前記コップ(a)、前記コップ(b)、および前記コップ(c)は、相互に区別できるように、彩色が施されていることが好ましい。彩色によって、それぞれのコップに入っている液の種類の区別を容易にすることができる。また、コップの外側面とコップの内側面とが嵌め合わせ可能なような形状および大きさとすることで、収納する際に、コップを積み重ねることができる。
コップを連結したときにも全体がコンパクトになるように、コップの上部を６角形などの多角形とすることが好ましい。
【００１８】
液を溜める部分は、収納時に大きさをさらに小さくできるようにするために、シリコンゴムなどの柔軟な材料で形成し折り畳みできるようにしたり、蛇腹状に形成し折り畳みできるようにしたり、円錐台状を成した輪を入れ子状に重ねて伸び縮みできるようにしたりなどしてもよい。
【００１９】
なお、本発明は、図に示すような実施形態のみに限定されるものではなく、本発明の主旨に反しない限り、変形、追加または省略したものも、本発明の範囲に包含される。
【図１】
2018057530.tif 000003
【図２】
2018057530.tif 000004
【図３】
2018057530.tif 000005
【図４】
2018057530.tif 000006
【図５】
2018057530.tif 000007
【図６】
2018057530.tif 000008
【図７】
2018057530.tif 000009